(57)【要約】【課題】従来のテニス、野球等練習具は、強打すると転倒し易く、転倒を防止するには、基板を重くたり、重しを載せるなど手間、コストがかかつていた。またラケツトに傷や損傷のおそれがあつた。また、使用するボールの大きさに制限があつた。【解決手段】連結金具を介して、上方に向けて垂直支柱を立設し、且つ、前後斜め下方に向けて傾斜支柱と支柱支え杆を設け、前記傾斜支柱の先端部は基板に取り付け、前記垂直支柱には高さ調整棒を上下に摺動自在に取り付け、同高さ調整棒上端に衝撃吸収のための柔軟素材の管状体を介して、弾性素材の球受体を連設したものである。【選択図】  図１
2007014721.tif 000002
【特許請求の範囲】
【請求項１】
連結金具を介して、上方に向けて垂直支柱を立設し、且つ、前後斜め下方に向けて傾斜支柱と支柱支え杆を設け、前記傾斜支柱の先端部は基板に取り付け、前記垂直支柱には高さ調整棒を上下に摺動自在に取り付け、同高さ調整棒上端に衝撃吸収のための柔軟素材の管状体を介して、弾性素材の球受体を連設したテニス、野球等の練習具。
【請求項２】
管状体と球受体は、小球受を介して連設し、且つ、球受体と小球受の取り付けは、着脱自在であることが特徴である請求項１記載のテニス、野球等の練習具。
【請求項３】
垂直支柱は連結金具に回動自在に取り付け、傾斜支柱と垂直支柱、垂直支柱と支柱支え杆をゴム紐で連結したことを特徴とする請求項１又は、２記載のテニス、野球等の練習具。
【請求項４】
連結金具と高さ調整棒の取り付けが、連結金具に調整棒挿入具を取り付け、同調整棒挿入具の中空孔に、ゴム輪を具備した高さ調整棒を、上下に摺動自在に挿通したことを特徴とする請求項１又は、２記載のテニス、野球等の練習具。
【請求項５】
連結金具に支柱支え杆と傾斜支柱を取り付け、同傾斜支柱の下端部は基板に取り付け、同傾斜支柱の上部に高さ調整棒を斜め上下に摺動自在に取り付け、同高さ調整棒に円弧状に曲折した管状体を取り付け、同管状体に小球受を介して球受体を連設したテニス、野球等の練習具。
【請求項６】
管状体をニ重に構成したことが特徴である請求項１〜５記載のうち、いずれか一項記載のテニス、野球等の練習具。
【請求項７】
中空円柱具の中空部に、球受体と小球受と管状体とゴム輪を具備した高さ調整棒を上下に摺動自在に挿通し、中空円柱具の外径が、市販している清涼飲料水のペツトボトルの飲み口に挿入可能な大きさであることが特徴であるテニス、野球等の練習具。
【請求項８】
中空円柱具をペツトボトル飲み口に取り付ける方法が、中空円柱具の中空部下方に、ペツトボトル飲み口に螺設している雄ネジに螺合可能に、雌ネジを螺設したことを特徴とする請求項７記載のテニス、野球等の練習具。
【請求項９】
球受体がバトミントンシヤトル形状であることが特徴である請求項１〜８項記載のいずれか一項記載のテニス、野球等の練習具。
【発明の詳細な説明】
【技術分野】
【０００１】  本発明は、テニス、野球等の練習具に関するものである。
【背景技術】
【０００２】  従来のテニス、野球等の練習具には、支柱の上端に巻きバネを介して球受体を連設したものがある。（例えば、特許文献１参照）
また、ボールが左右に移動自在に構成したものもある。（例えば、特許文献２参照）
更に、磁石を利用して、ボール支承体が常に上部に配置なるようにしたものがある。（例えば、特許文献３参照）【０００３】  以下、図１２により従来のテニス、野球等の練習具について説明する。１４は支柱で基台の上に立設している。１５はスプリング体で上部を直線部１６を形成している。１は、弾性素材の球受体でスプリング体１５の直線部１６に連設している。【０００４】
【特許文献１】  公開実昭５６−１６８１７９公報
【特許文献２】  実新登録３１６９４８３号
【特許文献３】  特開昭６３−２４９５８５
【発明の開示】
【発明が解決しようとする課題】
【０００５】  以上に述べた従来のテニス、野球等の練習具では、下記に述べる問題点があつた。
１  支柱を強打した場合、練習具が転倒し易いという欠点があつた。転倒を防止するためには、基台を大きく、重くするか、重しを載せる必要があり手間、製造コストが大きくかかつた。
２  テニスの打撃練習では、ラケツトのエツジやガツトで支柱等の固形物を強打した場合、傷や破損の恐れがあつた。
３  ボールの大きさ、例えば、小さなボールではピンピン球やゴルフボールがあり、中ぐらいのボールでは野球ボールやテニスボールがある。大きなボールでは径１０センチ以上のスポンジボール等があるが、従来のものは、使用できるボールの大きさの幅が小さかつた。【０００６】  本発明は、このような従来の構成が有していた問題を解決しようとするものであり、軽量な構造にしても、打撃練習時、ボール以外の部分を強打しても転倒することがなく、また、テニスのラケツトで強打しても、ガツトやエツジに傷や損傷を与えないようにし、更に、使用するボールの大きさによつて球受体を変更できて、多様の大きさのボールを使用できる、テニス、野球等の練習具を実現することを目的とするものである。
【課題を解決するための手段】
【０００７】  そして、本発明は上記目的を達成するために、請求項１のものは、連結金具を介して、上方に向けて垂直支柱を立設し、且つ、前後斜め下方に向けて傾斜支柱と支柱支え杆を設け、前記傾斜支柱の先端部は基板に取り付け、前記垂直支柱には高さ調整棒を上下に摺動自在に取り付け、同高さ調整棒上端に衝撃吸収のための柔軟素材の管状体を介して、弾性素材の球受体を連設したものである。【０００８】  ラケツトで球受体や管状体を強打した場合、練習具とラケツトの損傷を防止するため、図１の鎖線図に示すように、球受体と管状体が９０°前後曲折して衝撃力を解消している。また、固形物である高さ調整棒の差込部分を除いた球受体と管状体の長さＬは、ラケツトの横幅の２分の１、好ましくは３分の２の長さにするとよい。球受体は薄く軽量で柔軟な合成樹脂で作製するとよい。また、管状体はゴムや柔軟なウレタンスポンジで作製するとよい。垂直支柱と高さ調整棒は、凸凹混在マジツクテープのバンドで上下に摺動自在に取り付けている。マジツクテープにクツシヨン性があるので、少量とはいえ、衝撃力減少に効果がある。また、傾斜支柱と支柱支え杆は打撃による転倒を防止するためのもので、下方に末広がりに配設し、床面とは一点と一面、三点または、四点で接地するようにすると、練習具を安定して立設することができる。【０００９】  つぎに、請求項２のものは、管状体と球受体は、小球受を介して連設し、且つ、球受体と小球受の取り付けは、着脱自在としたものである。小球受は柔軟素材で形成しており、球受体の突起部が小球受の受部に嵌着して一体に形成している。小球受は小さなボールを使用するときに使用するが、柔軟素材で形成しているので衝撃力を吸収する働きもする。また、球受体が破損した場合、取り換えが容易になるようにしている。【００１０】  また、請求項３のものは、垂直支柱は連結金具に回動自在に取り付け・傾斜支柱と垂直支柱、垂直支柱と支柱支え杆をゴム紐で連結したものである。球受体や管状体を強打すると、それらが曲折すると同時に、垂直支柱も傾斜して強打による衝撃を緩和する。そして、ゴム紐の引張力により、垂直の位置に戻る。また、垂直支柱と支柱支え杆、垂直支柱と傾斜支柱間のゴム紐の引張力を調節して、垂直支柱を常に垂直に配置することができるようにしている。【００１１】  また、請求項４のものは、連結金具と高さ調整棒の取り付けが、連結金具に調整棒挿入具の中空孔に、ゴム輪を具備した高さ調整棒を、上下に摺動自在に挿通したものである。ゴム輪は高さ調整棒に捲着して、高さ調整棒が所定の高さ位置から下がらないようにするストツパーの役割をしている。【００１２】  また、請求項５のものは、連結金具に支柱支え杆と傾斜支柱を取り付け、同傾斜支柱の下端部は基板に取り付け、同傾斜支柱の上部に高さ調整棒を斜め上下に摺動自在に取り付け、同高さ調整棒に円弧状に曲折した管状体を取り付け、同管状体に小球受を介して球受体を連設したものであり、垂直支柱を省略して構造を簡潔にし、取り扱いを容易にし、且つ、コストダウンを図つたものである。また、図７の鎖線に示すように、ボールの重量で管状体が下方にやや下がり、ボールの載置が安定するので、管状体を細く柔軟性を高めて���成できるので衝撃力を効果的に吸収できる。【００１３】  また、請求項６のものは、管状体をニ重に構成したものである。管状体が短かいと球受体や小球受にボールを載置した場合、管状体は安定するが、ラケツトで支柱を強打してラケツトが損傷する恐れがある。逆に管状体を長くするとラケツトで支柱を強打する確率は低くなるが、球受体や小球受にボールを載置したとき、ボールの重みで前後左右に揺れて不安定になる。本項のものは、ニ重に構成することによつてその欠点を解消したものである。【００１４】  また、請求項７のものは、中空円柱具の中空部に、球受体と小球受と管状体とゴム輪を具備した高さ調整棒を上下に摺動自在に挿通し、中空円柱具の外径が、市販している清涼飲料水のペツトボトルの飲み口に挿入可能な大きさとしたものである。中空円柱具の周壁に弱いテーパーを形成すると効果的である。【００１５】  更に、請求項８のものは、中空円柱具をペツトボトル飲み口に取り付ける方法が、中空円柱具の中空部下方にペツトボトル飲み口に螺設している雄ネジに螺合可能に、雌ネジに螺合可能に雌ネジを螺設したものである。また、他の方法として、中空円柱具を合成樹脂で作製し、中空部の下方にペツトボトル飲み口部に緊合可能な中空部を形成してしつかり嵌め合わせるとよい。【００１６】  請求項９のものは、球受体がバトミントンシヤトル形状としたものである。合成樹脂で精密に射出成形したもので、薄く、軽く、且つ、柔軟に成形している。柔軟な管状体に取り付けて一体に形成し、薄く軽くても、強打に対しては鞭のようにしなり、衝撃力を逃がし、破損は極めて少ない。木棒で約２０００回強打実験をしたが破損することはない。【００１７】  上記課題解決手段による作用は次の通りである。テニス、野球の打撃練習具として使用する場合は、まづ、手で高さ調整棒を上下に摺動させて高さ位置を決める。球受体にボールを載置しラケツトやバツトで打球する。ボールに当らず球受体や管状体を強打すると、球受体と管状体は図１の鎖線に示すように、９０°前後曲折し、また、高さ調整棒はマジツクテープで取り付け、また、垂直金具と連結金具を回動自在に取り付けている等、併せて衝撃力を吸収するよう柔軟構造を構成している。更に、打撃の方向斜め下方に支柱支え杆を配設しているので、打撃によつて、練習具は転倒することはない。また、球受体と管状体は大きく曲折する柔軟構造で、且つ、ラケツトの横幅の２分の１以上の長さの構造なので、ラケツトに傷や損傷を与える恐れはない。更に、安心してラケツトで打球できるようにするため、管状体をニ重構造にすると、管状体をより長く形成することができる。【００１８】  ゴルフ練習具として使用する場合は、図１１に示すように、短くした高さ調整棒を基板に取り付けて使用する。スポンジボールやゴムボール等大きなボールを使用するときは、球受体に載置するが、ゴルフボールやプラスチツクのボール等を使用するときは、球受体を取り外し、小球受に載置して使用する。【００１９】  コスト低減のためペツトボトルを利用する場合、中空円柱具をペツトボトル飲み口に挿入し、中空円柱具の中空部に高さ調整棒を挿通し、ゴム輪を中空円柱具の上部に捲着して高さ調整棒が下がらないようにする。中空円柱具を使用する方法として、中空円柱具の中空部下部に螺設した雌ネジとペツトボトル飲み口の雄ネジを螺合する。
【発明の効果】
【００２０】上述したように本発明のテニス、野球等の練習具は、球受体や小球受や管状体等の衝撃力を吸収する柔軟構造と、練習具本体を下方に末広がりに支える安定構造としたため、ボール以外の部分を強打しても転倒することはなくなつた。【００２１】  球受体、小球受、管状体等柔軟部分の構造を長く形成することによつて、ラケツトで固形部分を強打する確率が減少し、よつて、ラケツトの傷、損傷の恐れが減少した。【００２２】  球受体と小球受を着脱自在に一体構造にすれば、ボールの大小にかかわらず使用することができるようになつた。【００２３】  軽量構造で製造することができ、また、ペツトボトルを高さ調整や基台として利用できるので、コスト低減につながる。
【発明を実施するための最良の形態】
【００２４】  以下、本発明の実施の形態を図１〜図１１に基づいて説明する。
図においては、１は球受体で合成樹脂で製造し、中空で頭切円錐形状を形成している。下部に円錐台形状の連結ゴム１６をビス１７とナツト１８で取り付けている。２は管状体でウレタンスポンジの中空円柱形状を形成し、上端部に連結ゴム１６を挿通し固定バンド１９で一体に取り付けている。３は連結金具で四角形状を形成し、５箇所のビス穴を穿設している。上方に向けて垂直支柱４をビス１７と蝶ナツトで取り付けている。５は高さ調整棒で断面円形形状をし、木製の丸棒で上端部は管状体２の下端部に挿通して固定バンド１９で取り付けている。高さ調整棒５の中間部に凸凹混在のマジツクテープのベルト６で垂直支柱４に上下に摺動自在に取り付けている。垂直支柱４は長方形状で連結金具３に垂直に配設するようビス１７と蝶ナツトで取り付けている。７は傾斜支柱で、上部は連結金具３にビスと蝶ナツトで取り付け、下部はニ箇のアングル金具８を介して長方形状の基板９に取り付けている。１０は支柱支え杆で長方形状を形成し、上部は連結金具３にビス１７と蝶ナツトで取り付けている。傾斜支柱７と支柱支え杆１０は、斜め下方末広がりに配設している。【００２５】  図においては、１１は小球受で柔軟な合成樹脂で作製している。内側に受部２１を形成し、球受体１の下部に形成した突起部２２と着脱自在に結合して、一体に形成している。小球受１１の下部に、ニ箇の連結ゴム１６を対称、且つ、接合部が窪むようにビス１７とナツト１８で取り付け、管状体２に固定バンド１９で取り付けている。【００２６】  図においては、連結金具３と垂直支柱４は、ビス１７と蝶ナツトで回動自在に取り付けている。垂直支柱４の下部と傾斜支柱７と支柱支え杆１０の中間部に取付穴２３を穿設し、その取付孔２３にゴム紐１２を通し、傾斜支柱７と垂直支柱１、垂直支柱１と支柱支え杆１０の夫々の間を引張し、且つ、垂直支柱１が常に垂直を維持するようにゴム紐１２の間隔を調整する。また、強打されて傾斜した垂直支柱１が垂直になるように、引張力を調節する。【００２７】  図においては、連結金具３に、中空孔を垂直に穿設している調整棒挿入具１３を取り付けている。中空孔に高さ調整棒５を上下に摺動自在に挿入し、高さ位置が決まつたらゴム輪２４を調整棒挿入具１３の上部に捲着し、ゴム輪２４の引張力で高さ調整棒５が下がらないようにとめる。【００２８】  図においては、連結金具３に支柱支え杆１０と傾斜支柱７を下方に傾斜して取り付け、傾斜支柱７の上部に高さ調整棒５を取り付けている。高さ調整棒５の上端部に緩やかに曲折した管状体２を取り付けている。【００２９】  図においては、径の異なる二つの管状体２−１、２−２を重合している。【００３０】  図においては、ゴルフ練習具として使用するため、短くした高さ調整棒５を基板９に取り付けている。小さいゴルフボール等を使用するときは、球受体１を外し、小球受１１にボールを載置する。【００３１】  図においては、鎖線はペツトボトルＣと箱Ｄを示している。ペツトボトルＣの飲み口３０に中空部２６を設けた中空円柱具２５を挿通し、その中空部２６に高さ調整棒５を挿通している。中空円柱具２５の上部にゴム輪２４を捲着している。【００３２】  図においては、中空円柱具２５の中空部２６��方に雌ネジ２７を螺設している。雌ネジはペツトボトルの飲み口の雄ネジに螺合するものである。【００３３】  図においては、管状体２にバトミントンシヤトル形状の球受体１を取り付け、一体に形成している。球受体１に多数の空間部模様２８を形成すると共に、上端部に連続した山形模様２９を形成している。
【図面の簡単な説明】
【００３４】
【図１】  本発明の練習具の斜視図
【図２】  図１のＩ−Ｉ矢視縦断面図
【図３】  小球受を取り付けた部分断面図
【図４】  ゴム紐を取り付けた部分正面図
【図５】  調整棒挿入棒を取り付けた部分斜視図
【図６】  管状体をニ重にした状態を示す部分断面図
【図７】  管状体が緩やかに曲折したものである状態を示す正面図
【図８】  ペツトボトルに取り付けた状態を示す正面図
【図９】  ペツトボトルに取り付けた状態を示す部分断面図
【図１０】  球受体がバトミントンシヤトル形状であることを示す部分正面図
【図１１】  ゴルフ練習具としての使用例を示す参考図
【図１２】  従来の練習具
【符号の説明】
【００３５】  １  球受体
２  管状体
３  連結金具
４  垂直支柱
５  高さ調整棒
６  マジツクテープのベルト
７  傾斜支柱
８  アングル取付金具
９  基板
１０  支柱支え杆
１１  小球受
１２  ゴム紐
１３  調整棒挿入其
１６  連結ゴム
２１  受部
２２  突起部
２４  ゴム輪
２５  中空円柱具
２６  中空部
Ａ  大きいボール
Ｂ  小さいボール
Ｃ  箱
Ｄ  ペツトボトル
Ｒ  ラケツト
【図１】
2007014721.tif 000003
【図２】
2007014721.tif 000004
【図３】
2007014721.tif 000005
【図４】
2007014721.tif 000006
【図５】
2007014721.tif 000007
【図６】
2007014721.tif 000008
【図７】
2007014721.tif 000009
【図８】
2007014721.tif 000010
【図９】
2007014721.tif 000011
【図１０】
2007014721.tif 000012
【図１１】
2007014721.tif 000013
【図１２】
2007014721.tif 000014